(57)【要約】水中にて電磁場を生成する装置である。装置は、電気伝導性リングの間隔あるセットを含み、リングは夫々正に印加され（リング２、６）、負に印加される（リング３、５）。リングは、負電荷のプレート（１）及び正電荷のプレート（７）との間にあり共通の軸を有し、正確な間隔及び大きさを有する。中央の中性のリング（４）はリング対を分離する。電磁場が、水と接触する生命細胞材の有機電解機能を増加するように生成される。
2004506513.tif 000002
【特許請求の範囲】
【請求項１】
２つの電気伝導性プレート間にて共通の軸で構成される電気伝導性リングの間隔あるセットを含み、
リングの数と間隔、及び、プレートとリングに印加される電荷は、電磁場の誘導される水が水と接触する生命細胞材の有機電解機能を増加するように、選択される、
水中にて電磁場を生成する装置。
【請求項２】
全体で、２次元構成の５つの電気伝導性リングが備わる、請求項１に記載の装置。
【請求項３】
電気伝導性リングが３つのサブセットを含み、第１のサブセットは等しい直径の２つのリングからなり、第２のサブセットは等しいが第１のサブセットのリングよりも大きい直径の２つのリングからなり、第３のサブセットは第２のサブセットのリングよりも大きい直径の１つのリングからなり、第３のサブセットのリングは第２のサブセットのリングの間に配置され、第２のサブセットのリングは第３のサブセットのリングの間に配置される、
請求項２に記載の装置。
【請求項４】
リングが互いに等しい間隔で配置される、
請求項３に記載の装置。
【請求項５】
リングが互いに５ｍｍ間隔で配置される、
請求項４に記載の装置。
【請求項６】
第１のサブセットのリングの外径が５３ｍｍであり、第２のサブセットのリングの外径が６６ｍｍであり、第３のサブセットのリングの外径が７９ｍｍである、
請求項５に記載の装置。
【請求項７】
第１と第２のサブセットのリングがステンレス鋼から製造され、第３のサブセットのリングが銅から製造される、
請求項６に記載の装置。
【請求項８】
第１のサブセットのリングが正電荷されており、第２のサブセットのリングが負電荷されており、第３のサブセットのリングが中性電位を有する、
請求項７に記載の装置。
【請求項９】
共通の銅伝導性リンケージが、第２のサブセットのリングと電気伝導性プレートとの間に形成される、
請求項８に記載の装置。
【請求項１０】
真鍮ロッドが電気伝導性プレートの軸から伸展する、
請求項９に記載の装置。
【請求項１１】
真鍮ロッドの一つが、外部電源装置に接続する、
請求項１０に記載の装置。
【請求項１２】
外部電源装置に接続する真鍮ロッドが、４ｍｍの直径と５８ｍｍの長さを持ち、他の真鍮ロッドが、４ｍｍの直径と２０ｍｍの長さを持つ、
請求項１１に記載の装置。
【請求項１３】
共通のステンレス鋼伝導性リンケージが、第１のサブセットのリングと外部電力供給との間に形成される、
請求項１２に記載の装置。
【請求項１４】
電気伝導性プレートが２次元の円形ディスク形状を有する、
請求項１に記載の装置。
【請求項１５】
電気伝導性プレートが、電気伝導性リングに並行に且つ同軸状に構成される、
請求項１４に記載の装置。
【請求項１６】
電気伝導性プレートが、隣接する電気伝導性リングと５ｍｍの間隔が空けられている、
請求項１５に記載の装置。
【請求項１７】
電気伝導性プレートが直径４０ｍｍである、
請求項１６に記載の装置。
【請求項１８】
電気伝導性プレートが負に印加されている、
請求項１７に記載の装置。
【請求項１９】
水が通過し得る非伝導性リング支持部材を含むハウジングにより、支持される、
請求項１に記載の装置。
【請求項２０】
ハウジングがアクリルプラスチック部材で製造される、
請求項１９に記載の装置。
【請求項２１】
ハウジングが、装置を損傷から防護するオービタルハウジングの範囲内に構成される、
請求項２０に記載の装置。
【請求項２２】
オービタルハウジングが、頂部半球部、底部半球部、及び電気が装置に流れ込むケーブルキャップを含む、
請求項２１に記載の装置。
【請求項２３】
底部半球部が、支持のための平坦なベースと、安定化のための底部のおもりとを含む、
請求項２２に記載の装置。
【請求項２４】
頂部半球部及び底部半球部が、スリットツイストロック構成により接合される、
請求項２３に記載の装置。
【請求項２５】
請求項１に記載の装置に水を通過させることを含む、水処理方法。
【請求項２６】
添付の図面を参照して明細書に実際上記述される電磁場を生成する装置。
【発明の詳細な説明】
【０００１】
発明の背景
本発明は、水調整装置に関し、特に、生命細胞材と同様な特定の電磁気サインを生成する装置に関する。
【０００２】
発明の目的
本発明の目的は、生物学的な生命細胞材と利用するのに特に相応しいものとするように、概略、水の内部の強化された伝導性と増大された水張力が有益な有機電解機能を増大し得る農業、水耕法及び治療学などの状況で利用するのに相応しいものとするように、水を処理できることである。“有機電解機能”という表現は、生命細胞材の範囲内のイオンの量及び利用可能性を示す。
【０００３】
発明の概要
本発明によると、２つの電気伝導性プレート間にて共通の軸で構成される電気伝導性リングの間隔あるセットを含み、リングの数と間隔、及び、プレートとリングに印加される電荷は、電磁場の誘導される水が水と接触する生命細胞材の有機電解機能を増加するように、選択される、水中にて電磁場を生成する装置が提示される。
【０００４】
発明の詳細な説明
電気伝導リングが、実質的に球状配列で互いに並行に適切に配置され、それらはステンレス鋼や類似の部材から形成される。但し中央リングは銅などの異なる部材から形成される。中世の電位である中央リングは別として、残りの隣接リングは、適切な伝導性トラックにより、対抗する電位が印加されている。
【０００５】
球状配列を画定する、５つの電気伝導リングと２つの電気伝導プレートが備わるのが好ましい。真ん中の中位リングが最大の直径を備えており、残りのリングは所与の量だけ直径が減少し、同じ直径のものが対になるようになっている。例えば、銅リングは７９ｍｍの直径となり、残りのリングの対の直径は６６ｍｍ、５３ｍｍ及び４０ｍｍとなり、リング間の間隔が５ｍｍとなってもよい。
【０００６】
リングのための非伝導性指示ハウジングは、アクリルハウジングを適切に含み、該アクリルハウジングは、リングアセンブリそれ自身の内部に生成される磁場に干渉することなくリングを堅固に保持せしめるべく設計される、一連の２次元レーザカットオブジェクトを含む。そのようなハウジングの多数の配列も、可能である。
【０００７】
非伝導性支持ハウジングは、取り扱いの誤りやアクシデントにより起こり得る損傷から装置を保護するため、オービタルハウジングの内部に設定されるのがよい。このかばリングは、ＡＢＳプラスチック部材などのような衝撃耐性部材から作成されるのがよい。
【０００８】
装置は、リング間に適切な電位を印加する、１１０−２２０交流ボルトを３０直流ボルトとするトランスにより、動力供給されるのが好ましい。電源装置は、特定のリング構成に対して楽観的効果をもたらすのに要求されるクリーンな動力を生成するように、設計される。
【０００９】
好適な実施の形態の説明
以下にて、本発明に係る好適な実施の形態を図面を参照しつつ説明する。全ての図面では同じ数字は同じ部分を示す。
【００１０】
まず、図１乃至図５では、装置は、２つの電気伝導性プレート１、７の間に５つの同軸設定されたリング２−６を含む。リング２、３とリング５、６は、特殊のステンレス鋼から形成される１．２ｍｍディスクであり、リング４は、銅から形成される。リングは、図４及び図５に示される大きさ及び構成を有する。図２図３に示されるように、プレート１と、リング３、５及び７は、負帯電トラック１０と接続し、プレート７と、リング２及び６は、正帯電トラック１１と接続する。
【００１１】
プレート及びリングは、各々の導体１３及び１４が中へ伸展するクリアなアクリルハウジングの範囲内で支持される。図５に示される以外の部品は、ハウジングの部品である。
【００１２】
図６及び図７を参照すると、カバリングは３つの主要部分からなる。即ち、頂部半球２０、底部半球２１及びケーブルキャップである。カバリングは実質的な包括的球状構成を備え、底部半球２１は水中でユニットを安定化し水平に保つためのフラットベース２３を含む。頂部半球２０は、スリットツイストロック構成により、底部半球２１上にロックされる。
【００１３】
キャップ２２は、装置のハウジング１２に接続し、防水シール部と、正電位しんちゅうトラック１３と負電位しんちゅうトラック１４のためのエントリ部位とを含む。
【００１４】
水治療法システムのための適切な電源装置システムが、図８に示される。これは、ダブルポール主要動力源３０、動力スイッチ３１、アクティブとニュートラルのヒューズ３２、要求される動力を選択するための３つのタップ３４、３５、３６を備える１００ＶＡトランス３３、ロータリスイッチ動力セレクタ３７、フルブリッジ整流器２８、シングルキャパシタフィルタ３９、３ａｍｐ回路ブレーカ４０、微小電流感知抵抗４１、電流感知抵抗４１で読まれ増幅された電圧を表示する１０ＬＥＤエレメント表示部４２、及び、調整動力出力４３を、含む。
【００１５】
進歩した会話式電源装置ユニットブロック図が図９に示される。このユニットは、マイクロプロセッサ５０を利用して、装置を完全制御できる。以下の整数は、図面で同定される。
【００１６】
５１：動力入力（２３０、２２０、１１５、１１０、若しくは１００ｖ）
５２：電圧選択リレー
５３：トランス
５４：タップリレー
５５、５６：トランジスタアレイ
５７、５８：ラッチ
５９：スピーチ生成部
６０：スピーカ
６１：トランジスタ
６２：ＬＣＤドライバ
６３：ＬＣＤディスプレイ
６４：キー膜
６５：Ａ／Ｄコンバータ、８ポート、内部
６６：電源装置、電圧読み取り
６７：温度センサ
６８：セキュリティ検知器、機械的なもの
６９：関連部
７０：ＩＲモジュレータ
７１：ＩＲ通信部
【００１７】
ユニットは、以下の特性を有する。
様々なレベルの動力を与えることを介して、減衰するようにされており、世界中の様々な水の性質の要求を満たす。
内部冷却である。
プログラム可能なタイマがビルトインされる。時間が終了すると、ユニットは自然と停止する。
スピーチ部がビルトインされる。即ち、ユニットは、適切な言語にて、要求されるように利用者に知らせる。
自己診断部がビルトインされる。アレイ電圧電流を感知すること、機能を確認するため回路の様々な部分の電圧を感知すること、主要動力電圧及び周辺をチェックすること、従って、問題が生じればアレイ及び接続のチェックへ進むこと（ユーザヘルプ）、である。
【００１８】
動力レベルインジケータ、タイマを伴うＬＣＤ（標準時計タイプ）ディスプレイは、電圧、電流及び他の関連情報を要求に応じて表示する。
情報を記録するフラッシュメモリがビルトインされる。モデル番号、シリアル番号、完了日、利用回数、全利用時間、ユニットの内部上限温度、診断情報などを記録する。
【００１９】
診断の目的、プログラミング及び他の情報のためにコンピュータと直接通信するため赤外線シリアル通信がビルトインされる。通信距離約２０ｃｍである。
【００２０】
再プログラム
ユニットは、シリアル赤外線通信により再プログラム可能である。
完全自動
自己診断に対し動力レベル及び標準タイマセットを自動で選択することから、ユニットは完全自動式である。
安全性
内部ボディトラップが内部操作プログラム抹消を生じさせる、という自己防御のため、破壊されて開けられる場合、保証は無効となる。
【００２１】
電源装置の操作は、キー膜を利用して為され、適切な分類が利用者をティ助けする。
【００２２】
解除及びサービスに対する認証番号は、日付入力可能であり、アルゴリズムを変更する。
【００２３】
本明細書に説明する装置は、主に水に対する活性及び／又は回復システムとして、農業、治療学及び水処理産業で利用され得る。
【００２４】
“包含する”という用語、若しくは“包含する”や“包含する”のような用語のバリエーションは、本明細書では、記述された数字を含むことを示すが、文脈若しくは利用法において用語を排他的に解釈することが求められている場合でない限り、他の数字を排除するものではない。
【００２５】
上述のことは本発明の例示として示したが、明細書に示す本発明の広範な範囲から乖離することなく、当業者が多数の修正及び変更を為し得るものである。
【図面の簡単な説明】
【図１】本発明に係る装置の側方斜視図である。
【図２】図１に示される装置の側方断面図である。
【図３】図１の装置のディスク及び接続する電極の側方断面図である。
【図４】図１の装置のディスクの相対的配置を示す。
【図５】図３の装置の分離された部品を示す。
【図６】本発明の別の実施形態に係る装置の断面線図である。
【図７】図６に示される装置の中央領域のための支持ブレースである。
【図８】本発明に係る装置と共に利用する電源装置のブロック図である。
【図９】本発明に係る装置と共に利用する進歩した電源装置のブロック図である。
【符号の説明】
１・・・プレート、２・・・リング、３・・・リング、４・・・リング、５・・・リング、６・・・リング、７・・・プレート。
【国際公開パンフレット】
2004506513.tif 000003
2004506513.tif 000004
2004506513.tif 000005
2004506513.tif 000006
2004506513.tif 000007
2004506513.tif 000008
2004506513.tif 000009
2004506513.tif 000010
2004506513.tif 000011
2004506513.tif 000012
2004506513.tif 000013
2004506513.tif 000014
2004506513.tif 000015
2004506513.tif 000016
2004506513.tif 000017
2004506513.tif 000018
2004506513.tif 000019
2004506513.tif 000020
【国際調査報告】
2004506513.tif 000021
2004506513.tif 000022